(57)【要約】【課題】  面格子を容易に取外すことができないようにして，侵入犯に対する高度な防犯性を確保した面格子用の防犯ブラケットを提供する。【解決手段】  断面Ｌ字状に交差配置した一対の固定基板１１及びその上下面を覆う翼板１５を備えるとともに一端を開口して，アルミ鋳物によって一体成形ボックス状としたブラケット基部１と，このブラケット基部１の開口にスナップイン係止によって嵌着固定した開口閉塞キャップ２とを備えて防犯ブラケットＡを形成する。固定基板１１を建物壁面４１と面格子６の横桟乃至横枠６１にそれぞれ金具３固定して，面格子６を建物壁面４１に設置する。金具３の露出が完全に防止されるために高度な防犯性を確保し，外観も良好で，面格子６設置や改装の作業性もよいので，マンションの共用部分の面格子６用に好適な防犯ブラケットＡとすることができる。【選択図】  図２
2009079370.tif 000002
【特許請求の範囲】
【請求項１】
建物壁面と面格子端部とをそれぞれ金具固定するように断面Ｌ字状に交差配置した固定基板及び該固定基板の上下面を覆うように該固定基板から側方に突出配置した翼板を備えて該翼板突出方向先端を開口した一体成形ボックス状のブラケット基部と，その上記開口を後付的に閉塞するように該ブラケット基部に嵌着固定した一体成形プレート状の開口閉塞キャップとを備えるとともに上記嵌着固定を，これらブラケット基部及び開口閉塞キャップにそれぞれ配置したスナップイン一方の係止受座とスナップイン他方の係止突起によるスナップイン係止によって行ってなることを特徴とする面格子取外し防止用の防犯ブラケット。
【請求項２】
上記ブラケット基部を，連結板を介して断面Ｓ字状とするように固定基板を平行配置するとともに上記翼板を少なくとも建物壁面に金具固定する一方の固定基板と連結板の上下面を覆うように配置してなることを特徴とする請求項１に記載の面格子取外し防止用の防犯ブラケット。
【請求項３】
上記ブラケット基部を，連結板を介して断面コ字状とするように固定基板を平行配置するとともに上記翼板を該固定基板又はこれと連結板の上下面を覆うように配置してなることを特徴とする請求項１に記載の面格子取外し防止用の防犯ブラケット。
【請求項４】
上記開口閉塞キャップのブラケット基部へのスナップイン係止の嵌着固定を，ブラケット基部の翼板が開口閉塞キャップの端縁を被覆することによって該開口閉塞キャップを開口内埋込状として該端縁の露出を防止してなることを特徴とする請求項１乃至３のいずれかに記載の面格子取外し防止用の防犯ブラケット。
【請求項５】
上記請求項１乃至４に記載のいずれかの防犯ブラケットを，建物壁面に対する面格子の金具固定用として備えてなることを特徴とする面格子。
【発明の詳細な説明】
【技術分野】
【０００１】
本発明は建物壁面に対して面格子を設置するに用いる面格子取外し防止用の防犯ブラケット及びこれを備えた面格子に関する。
【背景技術】
【０００２】
この種の面格子取外し防止用の防犯ブラケットとして，建物壁面と面格子端部とをそれぞれボルト固定する固定基板を連結板を介して断面Ｓ字状とするように平行配置したブラケット基部と，その上記建物壁面にボルト固定する一方の固定基板と連結板とを，一側を連結板にネジ固定することによって後付的に配置した平面コ字状等のボルトカバーとを備えたものが知られており，該ボルトカバーによって，上記建物壁面に固定した一方の固定基板のボルトを覆うことによって，該ボルトの固定が解除されるのを阻止して，面格子の建物壁面からの取外しを防止するようにしたものとされる。
【０００３】
【特許文献１】特開２００３−２１４０６１
【発明の開示】
【発明が解決しようとする課題】
【０００４】
この場合，ネジやボルトが直接に露出するのを防止することによって，一見して，ドライバーやレンチ等の工具を用いて面格子を取り外すのにある程度の時間が掛ることが判明するから，侵入犯に対して相当程度の牽制効果を発揮するものと認められるとともに，今後増加するであろうと見られる面格子の改装には，ボルトカバーのネジ止めを解除して，既存の面格子を取り外すことができる。しかし乍ら，面格子固定に用いたネジやボルトは，直接に露出しなくとも部分的に露出することになり，またボルトカバーは断面コ字状をなして連結板にネジ止めされるから，例えば固定基板とボルトカバーの空隙や固定基板とボルトカバーの対接面にドライバーを差込んでドライバーを捩ってネジを破断してボルトカバーを外すこと等も可能であり，時間が掛るとはいえ，侵入犯に対する防犯性を必ずしも確保したものとはいえず，その防犯性向上のために更に改良することが求められる。またボルトカバーは，上記コ字状等の形状のものとされる結果，ボルトを覆った状態でも，その上下２面が開口してボルト頭の側面が部分的に露出するから，ブラケットのボルトカバーとして，外観的に必ずしも良好であるともいえない。特にマンションにあって面格子は，共用部分の廊下に面して設置され，そのブラケットは廊下歩行者の視線を受け易い高さに位置することに照らせば，その外観を更に向上することが求められる。
【０００５】
本発明はかかる事情に鑑みてなされたもので，その解決課題とするところは，将来の面格子改装を予定して金具の固定解除性を確保しつつも面格子の可及的高度な防犯性を確保し得るようにした面格子取外し防止用の防犯ブラケットを提供するにあり，また該防犯ブラケットを備えることによって侵入犯に対する防犯性を可及的高度に備えた面格子を提供するにある。
【課題を解決するための手段】
【０００６】
上記課題に沿って本発明は，ブラケットを，Ｌ字状に交差配置した固定基板とその上下面を覆う翼板とを一体成形して該翼板の突出方向先端を開口してボックス状としたブラケット基部と，ブラケット基部に対してスナップイン係止によって嵌着固定して，その交差配置した固定基板の建物壁面及び面格子に対する金具固定後にその上記開口を後付的に閉塞する開口閉塞キャップとの２部材構成とすることにより，ブラケットを開口のないボックス状に仕上げることによって，面格子設置時の現場作業の効率，金具露出を防止した良好な納まりと優れた外観を確保するとともに金具固定の解除に際してブラケット基部に上記スナップイン係止によって嵌着固定した開口閉塞キャップの取外しを必要とし，該金具固定の解除を可及的に煩雑化して相当程度の時間が掛るようにして，面格子の防犯性を可及的高度に確保する一方，面格子の改装に際しては，例えば該開口閉塞キャップを特殊金具で除去するか，改装に許容される程度の騒音発生を伴うが，該開口閉塞キャップを押圧変形してその取外しをなし得るようにして，改装作業の効率を可及的高度に確保し得るようにしたものであって，即ち請求項１に記載の発明を，建物壁面と面格子端部とをそれぞれ金具固定するように断面Ｌ字状に交差配置した固定基板及び該固定基板の上下面を覆うように該固定基板から側方に突出配置した翼板を備えて該翼板突出方向先端を開口した一体成形ボックス状のブラケット基部と，その上記開口を後付的に閉塞するように該ブラケット基部に嵌着固定した一体成形プレート状の開口閉塞キャップとを備えるとともに上記嵌着固定を，これらブラケット基部及び開口閉塞キャップにそれぞれ配置したスナップイン一方の係止受座とスナップイン他方の係止突起によるスナップイン係止によって行ってなることを特徴とする面格子取外し防止用の防犯ブラケットとしたものである。
【０００７】
請求項２に記載の発明は，上記断面Ｌ字状に交差配置した固定基板に代えて，連結板を用いて該連結板とともに断面Ｓ字状に固定基板を平行配置した少なくとも建物壁面に金具固定する固定基板と連結板とを翼板で覆うようにして，同様にブラケットを開口のないボックス状に仕上げて，良好な外観，面格子の防犯性，改装時の現場の作業効率を可及的高度に確保するようにしたものであって，即ちこれを，上記ブラケット基部を，連結板を介して断面Ｓ字状とするように固定基板を平行配置するとともに上記翼板を少なくとも建物壁面に金具固定する一方の固定基板と連結板の上下面を覆うように配置してなることを特徴とする請求項１に記載の面格子取外し防止用の防犯ブラケットとしたものである。
【０００８】
請求項３に記載の発明は，同じく上記断面Ｌ字状に交差配置した固定基板に代えて，連結板を用いて該連結板とともに断面コ字状に平行配置した固定基板と連結板とを翼板で覆うようにして，同様にブラケットを開口のないボックス状に仕上げて，良好な外観，面格子の防犯性，改装時の現場の作業効率を可及的高度に確保するようにしたものであって，即ちこれを，上記ブラケット基部を，連結板を介して断面コ字状とするように固定基板を平行配置するとともに上記翼板を該固定基板又はこれと連結板の上下面を覆うように配置してなることを特徴とする請求項１に記載の面格子取外し防止用の防犯ブラケットとしたものである。
【０００９】
請求項４に記載の発明は，上記に加えて，開口閉塞キャップのスナップイン係止の嵌着固定を，ブラケット基部の翼板が開口閉塞キャップの端縁を被覆するように行って，例えばドライバー等によって該開口閉塞キャップを取外そうとしても，該ドライバー等を差込む空隙の発生を可及的に防止して，ボックス状のブラケットの一体性を向上し，外観，防犯性を更に高度に確保したものとするように，これを，上記開口閉塞キャップのブラケット基部へのスナップイン係止の嵌着固定を，ブラケット基部の翼板が開口閉塞キャップの端縁を被覆することによって該開口閉塞キャップを開口内埋込状として該端縁の露出を防止してなることを特徴とする請求項１乃至３のいずれかに記載の面格子取外し防止用の防犯ブラケットとしたものである。
【００１０】
請求項５に記載の発明は，上記いずれかの防犯ブラケットを用いることによって面格子を設置可能として，該防犯ブラケットによる可及的高度な防犯性を確保した面格子を提供するように，これを，上記請求項１乃至４に記載のいずれかの防犯ブラケットを，建物壁面に対する面格子の金具固定用として備えてなることを特徴とする面格子としたものである。
【００１１】
本発明は，これらをそれぞれ発明の要旨として，上記課題解決の手段としたものである。
【００１２】
なお本発明においてブラケット基部に対する開口閉塞キャップの嵌着固定とは，上記翼板の端縁間に開口閉塞キャップの縁部を嵌め込み状にしてブラケット基部の開口内に開口閉塞キャップを埋込状に配置する形態及び開口閉塞キャップの縁部が翼板の端縁を被覆状にしてブラケット基部の開口を開口閉塞キャップが被嵌状に配置する形態の双方を含む意味に用いる。
【発明の効果】
【００１３】
本発明は以上のとおりに構成したから，請求項１に記載の発明は，ブラケットを，Ｌ字状に交差配置した固定基板とその上下面を覆う翼板とを一体成形して該翼板の突出方向先端を開口してボックス状としたブラケット基部と，ブラケット基部に対してスナップイン係止によって嵌着固定して，その交差配置した固定基板の建物壁面及び面格子に対する金具固定後にその上記開口を後付的に閉塞する開口閉塞キャップとの２部材構成とすることにより，ブラケットを開口のないボックス状に仕上げることによって，面格子設置時の現場作業の効率，金具露出を防止した良好な納まりと優れた外観を確保するとともに金具固定の解除に際してブラケット基部に上記スナップイン係止によって嵌着固定した開口閉塞キャップの取外しを必要とし，該金具固定の解除を可及的に煩雑化して相当程度の時間が掛るようにして，面格子の防犯性を可及的高度に確保する一方，面格子の改装に際しては，例えば該開口閉塞キャップを特殊金具で除去するか，改装に許容される程度の騒音発生を伴うが，該開口閉塞キャップを押圧変形してその取外しをなし得るようにして，改装作業の効率を可及的高度に確保し得るようにして，将来の面格子改装を予定して金具の固定解除性を確保しつつも面格子の可及的高度な防犯性を確保し得るようにした面格子取外し防止用の防犯ブラケットを提供することができる。
【００１４】
請求項２に記載の発明は，上記断面Ｌ字状に交差配置した固定基板に代えて，連結板を用いて該連結板とともに断面Ｓ字状に固定基板を平行配置した少なくとも建物壁面に金具固定する固定基板と連結板とを翼板で覆うようにして，同様にブラケットを開口のないボックス状に仕上げて，設置作業の効率，良好な外観，面格子の防犯性，改装作業の効率を可及的高度に確保した面格子取外し防止用の防犯ブラケットとすることができる。
【００１５】
請求項３に記載の発明は，同じく上記断面Ｌ字状に交差配置した固定基板に代えて，連結板を用いて該連結板とともに断面コ字状に平行配置した固定基板と連結板とを翼板で覆うようにして，ブラケットを開口のないボックス状に仕上げて，同様に設置作業の効率，良好な外観，面格子の防犯性，改装作業の効率を可及的高度に確保した面格子取外し防止用の防犯ブラケットとすることができる。
【００１６】
請求項４に記載の発明は，上記に加えて，開口閉塞キャップのスナップイン係止の嵌着固定を，ブラケット基部の翼板が開口閉塞キャップの端縁を被覆するように行って，例えばドライバー等によって該開口閉塞キャップを取外そうとしても，該ドライバー等を差込む空隙の発生を可及的に防止して，ボックス状のブラケットの一体性を向上し，外観，防犯性を更に高度に確保したものとすることができる。
【００１７】
請求項５に記載の発明は，上記いずれかの防犯ブラケットを用いることによって面格子を設置可能として，該防犯ブラケットによる可及的高度な防犯性を確保した面格子を提供することができる。
【発明を実施するための最良の形態】
【００１８】
以下図面の例に従って本発明を更に具体的に説明すれば，Ａは面格子取外し防止用の防犯ブラケットであり，該防犯ブラケットＡは，ブラケット基部１と開口閉塞キャップ２とを備えたものとしてあり，本例にあってブラケット基部１は，これを，建物壁面４１と面格子６端部とをそれぞれ金具３固定するように断面Ｌ字状に交差配置した固定基板１１及び該固定基板１１の上下面を覆うように該固定基板１１から側方に突出配置した翼板１５を備えて該翼板突出方向先端を開口した一体成形ボックス状のものとしてあり，また開口閉塞キャップ２は，これを，ブラケット基部１の上記開口を後付的に閉塞するように該ブラケット基部１に嵌着固定した一体成形プレート状のものとしてあり，このとき該開口閉塞キャップ２の上記ブラケット基部１への嵌着固定を，これらブラケット基部１及び開口閉塞キャップ２にそれぞれ配置したスナップイン一方の係止受座１４とスナップイン他方の係止突起２１によるスナップイン係止によって行ったものとしてあり，本例にあって上記開口閉塞キャップ２のブラケット基部１へのスナップイン係止の嵌着固定を，ブラケット基部１の翼板１５が開口閉塞キャップ２の端縁を被覆することによって該開口閉塞キャップ２を開口内埋込状として該端縁の露出を防止したものとしてある。
【００１９】
本例にあって上記ブラケット基部１は，その交差配置一方の固定基板１１を建物壁面４１固定用とし，他方を面格子６端部，特にその横桟乃至横枠６１の長手方向先端固定用とし，上記翼板１５とともに一体成形した金属鋳造品としてあり，本例のブラケット基部１は，開口閉塞キャップ２をスナップイン係止する上で高精度を確保するように，例えばアルミを鋳造したアルミ鋳物によるものとしてあり，また開口閉塞キャップ２は，これを，同じく高精度を確保するように，一体成形してプレート状とした押出成形品，例えばアルミの長尺押出成型材に切断加工を施して所定幅を有するようにしたアルミ押出材によるものとしてある。
【００２０】
本例のブラケット基部１は，その上下の翼板１５を，例えば平面五角形をなすように交差配置一対の固定基板１１を被覆し，該翼板１５が固定基板１１の内角側に位置する空間を塞ぐとともに先端縁の平面形状を，前後に一対の交差縁とその間に配置した傾斜縁とを備えた弓型状をなすものとし，該ブラケット基部１を，平面五角形のブロック状にして翼板１５の先端縁によって弓形状の開口を備えたものとしてある。このとき本例のブラケット基部１は，その翼板１５による交差配置一対の固定基板１１の被覆を，上記開口閉塞キャップ２の肉厚分を固定基板１１の先端との間に配置し，該翼板１５を固定基板１１の先端からその延長方向に僅かに突出して配置するとともに該翼板１５の先端縁は該突出配置の先端位置を基準として，その上記弓形状の交差縁と傾斜縁を配置して，該ブラケット基部１に対する開口閉塞キャップ２の上記スナップイン係止の嵌着固定を，該開口閉塞キャップ２を翼板１５の先端間に受け入れ，該翼板１５の先端で開口閉塞キャップ２の上下端縁を被覆することによって，翼板１５が開口閉塞キャップ２を被嵌するように行うようにしてある。本例におけるブラケット基部１は，例えばその一辺を５〜９ｃｍ程度，好ましくは６〜８ｃｍ程度，上記一対の交差縁の長さを１〜３ｃｍ程度，好ましくは１．５〜２ｃｍ程度，固定基板１１の肉厚を３〜６ｍｍ程度，好ましくは４〜５ｍｍ程度，翼板１５の肉厚を１〜３ｍｍ程度，好ましくは２ｍｍ程度，開口の上下内法幅を３〜５ｃｍ程度，好ましくは４ｃｍ程度としてあり，本例にあって該ブラケット基部１は，上記寸法の範囲で，その面格子側の固定基板１１を建物壁面４１側の固定基板１１より幾分長く形成して，面格子６の取付け状態で建物壁面４１からの出幅を，その固定基板１１の横幅より大きく設定したものとしてある。図中１２，１３は，該ブラケット基部１の各固定基板１１に透設した建物壁面乃至面格子の円形孔又は位置調整用に長孔とした金具３固定用の透孔である。
【００２１】
本例の開口閉塞キャップ２は，その上下の幅を，上記ブラケット基部１における上記弓形状の開口，より正確には該開口の上下内法幅に合せた幅とし，長さを該弓形状の開口の先端縁に合せた長さとした平面弓形状をなす上記プレート状のものとしてあり，本例において該開口閉塞キャップ２は，その上下幅を３〜５ｃｍ程度，好ましくは４ｃｍ程度，肉厚を１〜２ｍｍ程度，好ましくは１．５ｍｍ程度としてある。
【００２２】
このときブラケット基部１及び開口閉塞キャップ２は，該開口閉塞キャップ２のスナップイン係止による嵌着固定を行うように，それぞれスナップイン一方の係止受座１４とスナップイン他方の係止突起２１を配置してあり，本例にあってスナップイン係止は，ブラケット基部１の上記交差配置一対の固定基板１１の各先端と，開口閉塞キャップ２の長手方向先端間で行うものとしてあり，その係止受座１４は，各固定基板１１の先端外側面に形成した係止段部とし，係止突起２１は開口閉塞キャップ２の先端から内側面側に突出したＬ字状の係止突片としてある。
【００２３】
ブラケット基部１と開口閉塞キャップ２を備えた防犯ブラケットＡを用いた面格子６の取付けは，アルミサッシ５を開閉自在に備えた窓開口の幅方向両側の建物壁面４１にブラケット基部１の建物壁面４１側の固定基板１１を金具３固定するとともに面格子６側の固定基板１１を同様に金具３固定した後に，開口閉塞キャップ２をブラケット基部１の開口に宛がうように配置し，該開口閉塞キャップ２をブラケット基部１側に押圧し，開口閉塞キャップ２の弾発性を利用して，その係止突起２１を，ブラケット基部１の係止受座１４に対してスナップイン係止することによって行うものとしてある。
【００２４】
本例にあって該面格子６の取付けは，４つの防犯ブラケットＡを，その各固定基板１１を予め面格子６の上下横桟乃至横枠６１に対して金具３，例えばネジ乃至ボルトによって固定した後に，面格子６を窓開口を覆うように配置して，その建物壁面４１用の固定基板１１を，建物壁面４１に同じく金具３，例えばボルトによって固定して，これを行うものとしてあり，面格子６の上下横桟乃至横枠６１と固定基板１１の金具３固定は，例えば該上下横桟乃至横枠６１の中空部内に形成したタッピングホールに対して行うことも可能であるが，本例にあって該金具３固定は，例えば上下横桟乃至横枠６１の中空部内にＬ字状のナット金具６２を挿入してその裏面側からのネジで該ナット金具６２を上下横桟６１にネジ固定し，該ナット金具６２のナットに対して固定基板１１からのネジ乃至ボルトを螺入することによって，これを行ってあり，また躯体４の，例えばタイル等によって仕上げた建物壁面４１にアンカーボルト，例えばオールインアンカーを打ち込み配置し，該オールインアンカーのボルト軸を固定基板１１の透孔，本例にあっては長孔１２を介して固定基板１１側に突出するとともに該ボルト軸に対してナットを螺装し，上記長孔１２による位置調整，特に幅方向の位置調整を施した後にナットの締着を行うことによって，その固定を行ったものとしてある。ネジ乃至ボルトによる金具３固定に際しては，もとよりワッシャーを用いる等の緩み止め措置を施すことが望ましい。
【００２５】
該面格子６を取付けた後に，ブラケット基部１に上記開口閉塞キャップ２をスナップイン係止によって嵌着固定すれば，その取付工事を完了することができ，これによって面格子６を建物壁面４１に取付けた上記ネジ乃至ボルトの金具３の露出は完全に防止され，ブラケット基部１を開口のないボックス状に仕上げて，良好な外観を確保したものとなり，侵入犯がドライバーやレンチを用いて面格子６を取外そうとしても，開口閉塞キャップ２がその弾発性を利用してブラケット基部１にスナップイン係止するとともにその幅方向両端の端縁がブラケット基部１の翼板１５に被覆し，開口閉塞キャップ２をブラケット基部１の開口内に埋込状としてあるから，端縁の露出がなくなり，例えばドライバーを差込もうとしても，これを許容する空隙がなく，従って侵入犯に対する防犯性を可及的高度に確保したものとなる。因みにブラケット基部１は，上記交差配置した一対の固定基板１１によって断面Ｌ字状とするのが，防犯ブラケットＡの形成，その取付作業を容易化する等のメリットを得られるところ，上記構成とすることによって，該メリットを享有しながら，その防犯性を可及的高度なものとすることが可能となる。
【００２６】
一方面格子６の改装に際しては，時間が掛るも該開口閉塞キャップ２を外せば，ネジ乃至ボルトの金具３が露出するから，これらによる固定を解除すれば，建物壁面４１等に損傷を与えたりすることなく，その取外しを行うことができる。従って旧来の面格子の改装を，本例の防犯ブラケットＡを用いて行っておけば，その再度の改装に対する改装作業の効率を可及的高度に確保することが可能となる。
【００２７】
図示した例は以上のとおりとしたが，上記ブラケット基部を，連結板を介して断面Ｓ字状とするように固定基板を平行配置するとともに上記翼板を少なくとも建物壁面に金具固定する一方の固定基板と連結板の上下面を覆うように配置したものとし，その開口に開口閉塞キャップを配置して，特に建物壁面にブラケットを固定するボルト等の金具の固定解除をなし難いものとすること，該平行配置した双方の固定基板と連結板の上下面を覆うように翼板を配置したものとし，同じくその一方又は双方の開口に開口閉塞キャップを配置して，上記建物壁面の金具固定の解除をなし難いものとするとともに又はこれに代えて，一般に面格子の縦枠乃至横桟乃至横枠の裏面に固定される金具の固定解除をなし難いものとすること，上記ブラケット基部を，連結板を介して断面コ字状とするように固定基板を平行配置するとともに上記翼板を該固定基板又はこれと連結板の上下面を覆うように配置して，例えば建物壁面と面格子の縦枠乃至横桟乃至横枠間に該ブラケットを介設するように配置して，その建物壁面と面格子の金具の固定解除をなし難いものとすること，この場合，例えば面格子への金具固定を，建物壁面側の固定基板に形成した透孔乃至長孔から予め行って，アンカーボルトを透孔乃至長孔にオールインアンカーのボルト軸を露出してナットを螺着して，その開口に開口閉塞キャップを嵌着配置するようにすること，上記開口閉塞キャップのブラケット基部へのスナップイン係止の嵌着固定を，ブラケット基部の上下翼板の先端間，即ち，例えば上記例における開口の上下端部間で行うようにし，該翼板の先端と開口閉塞キャップの対応する幅方向端部に係止受座，係止突起を配置すること，同じくスナップイン係止の嵌着固定を開口被嵌状に開口閉塞キャップを配置して行うこと，防犯ブラケットを，建物壁面に対する面格子の金具固定用として備えて面格子とセットとして同梱又は別梱包で現場に出荷搬入するものとすること，面格子を外枠とその内側に配置した装飾模様の鋳物パネルによって形成したものとすること等を含めて，本発明の実施に当って，面格子，防犯ブラケット，ブラケット基部，その固定基板，翼板，開口閉塞キャップ，金具，係止受座，係止突起等の各具体的材質，形状，構造，これらの関係，これらに対する付加，面格子の取付方法等は，上記発明の要旨に反しない限り様々な形態のものとすることができる。
【図面の簡単な説明】
【００２８】
【図１】面格子と防犯ブラケットの関係を示す斜視図である。
【図２】面格子の取付状態を示す横断面図である。
【図３】面格子の取付状態を示す断面図である。
【図４】防犯ブラケットの平面図である。
【図５】防犯ブラケットの中央部横断面図である。
【図６】ブラケット基部の一方の固定基板を下面とした平面図である。
【図７】ブラケット基部の他方の固定基板を下面とした平面図である。
【図８】開口閉塞キャップの平面図である。
【符号の説明】
【００２９】
Ａ  防犯ブラケット
１  ブラケット基部
１１  固定基板
１２  長孔
１３  円形孔
１４  係止受座
１５  翼板
２  開口閉塞キャップ
２１  係止突起
３  金具
４  躯体
４１  建物壁面
４２  窓開口
５  アルミサッシ
６  面格子
６１  横桟乃至横枠
６２  ナット金具
【図１】
2009079370.tif 000003
【図２】
2009079370.tif 000004
【図３】
2009079370.tif 000005
【図４】
2009079370.tif 000006
【図５】
2009079370.tif 000007
【図６】
2009079370.tif 000008
【図７】
2009079370.tif 000009
【図８】
2009079370.tif 000010